【手続補正書】
【提出日】平成23年9月22日(2011.9.22)
【手続補正１】
【補正対象書類名】明細書
【補正対象項目名】００２４
【補正方法】変更
【補正の内容】
【００２４】
図１は、本発明の一実施例によって、無線通信システムにおいてＳＦＢＣ／ＦＳＴＤ手法を適用する方法の一例を示す図である。図１では、通信システムのダウンリンクにおいて複数個、例えば、４個の送信アンテナを用いて４次送信アンテナダイバーシティを得ることができる方法で、２個の隣接する副搬送波を通じて送信される２つの変調信号には周波数空間ブロック符号化（Space Frequency Block Coding；ＳＦＢＣ）を適用し、２個のアンテナを含む第１アンテナセットを通じて送信し、ＳＦＢＣ符号化された２個の副搬送波セットに対しては周波数切り替え送信ダイバーシティ（Frequency Switching Transmit Diversity；ＦＳＴＤ）を適用し、互いに異なる２個のアンテナを含む２個のアンテナセットを通じて送信する方法を挙げることができる。その結果、送信アンテナダイバーシティの次数４を得ることができる。
【手続補正２】
【補正対象書類名】特許請求の範囲
【補正対象項目名】全文
【補正方法】変更
【補正の内容】
【特許請求の範囲】
【請求項１】
移動通信システムにおいて肯定応答／否定応答（ＡＣＫ／ＮＡＣＫ）情報を送信する方法であって、
前記ＡＣＫ／ＮＡＣＫ情報を直交シーケンスを用いて拡散率４で拡散することと、
第１の拡散ＡＣＫ／ＮＡＣＫ情報をマルチアンテナの利用可能な隣接した４個の副搬送波上で次の表（１）または表（２）に示す形式で符号化することと、を有し、
【表１】
2010531091.tif 000001
【表２】
2010531091.tif 000002
アンテナＡおよびアンテナＢは、前記マルチアンテナのうちの２個のアンテナを表し、
アンテナＣおよびアンテナＤは、前記マルチアンテナのうちの２個のアンテナを表し、
ａ1〜ａ4は、前記拡散ＡＣＫ／ＮＡＣＫ情報のエレメントに関連し、
記号「*」は、共役演算子を表す、方法。
【請求項２】
前記利用可能な隣接した４個の副搬送波からなる第１のセットと前記利用可能な隣接した４個の副搬送波からなる第２のセットとは、互いに異なる直交周波数分割多重化（ＯＦＤＭ）シンボル上に存在する、請求項１に記載の方法。
【請求項３】
前記利用可能な隣接した４個の副搬送波からなる第１のセットと前記利用可能な隣接した４個の副搬送波からなる第２のセットとは、周波数領域において連続しない、請求項１に記載の方法。
【請求項４】
第２の拡散ＡＣＫ／ＮＡＣＫ情報を前記マルチアンテナの利用可能な隣接した４個の副搬送波上で符号化すること、を更に有し、
前記第１の拡散ＡＣＫ／ＮＡＣＫ情報は、前記利用可能な隣接した４個の副搬送波からなる第１のセットで前記表（１）に示す形式で符号化され、
前記第２の拡散ＡＣＫ／ＮＡＣＫ情報は、前記利用可能な隣接した４個の副搬送波からなる第２のセットで前記表（２）に示す形式で符号化され、
前記第１の拡散ＡＣＫ／ＮＡＣＫ情報と前記第２の拡散ＡＣＫ／ＮＡＣＫ情報とは、同じＡＣＫ／ＮＡＣＫ情報を有する、請求項１に記載の方法。
【請求項５】
第３の拡散ＡＣＫ／ＮＡＣＫ情報を前記マルチアンテナの利用可能な隣接した４個の副搬送波上で符号化すること、を更に有し、
前記第３の拡散ＡＣＫ／ＮＡＣＫ情報は、利用可能な隣接した４個の副搬送波からなる第３のセットで次の表（３）に示す形式で符号化され、
【表３】
2010531091.tif 000003
前記第１の拡散ＡＣＫ／ＮＡＣＫ情報と前記第３の拡散ＡＣＫ／ＮＡＣＫ情報とは、同じＡＣＫ／ＮＡＣＫ情報を有する、請求項４に記載の方法。
【請求項６】
前記アンテナＡおよびアンテナＢは、１番目の連続した番号が付けられた２個のアンテナであり、
前記アンテナＣおよびアンテナＤは、２番目の連続した番号が付けられた２個のアンテナである、請求項１に記載の方法。
【請求項７】
前記アンテナＡおよびアンテナＢは、奇数の番号が付けられたアンテナであり、
前記アンテナＣおよびアンテナＤは、偶数の番号が付けられたアンテナである、請求項１に記載の方法。
【請求項８】
移動通信システムにおいて肯定応答／否定応答（ＡＣＫ／ＮＡＣＫ）情報を受信する方法であって、
マルチアンテナを介して送信側から送信される第１の拡散ＡＣＫ／ＮＡＣＫ情報を利用可能な隣接した４個の副搬送波上で受信すること、を有し、
前記第１の拡散ＡＣＫ／ＮＡＣＫ情報は、前記ＡＣＫ／ＮＡＣＫ情報を直交シーケンスを用いて拡散率４で拡散したものであり、
前記第１の拡散ＡＣＫ／ＮＡＣＫ情報は、前記マルチアンテナの前記利用可能な隣接した４個の副搬送波上で次の表（１）または表（２）に示す形式で符号化された状態で前記送信側から送信され、
【表４】
2010531091.tif 000004
【表５】
2010531091.tif 000005
アンテナＡおよびアンテナＢは、前記マルチアンテナのうちの２個のアンテナを表し、
アンテナＣおよびアンテナＤは、前記マルチアンテナのうちの２個のアンテナを表し、
ａ1〜ａ4は、前記拡散ＡＣＫ／ＮＡＣＫ情報のエレメントに関連し、
記号「*」は、共役演算子を表す、方法。
【請求項９】
前記利用可能な隣接した４個の副搬送波からなる第１のセットと前記利用可能な隣接した４個の副搬送波からなる第２のセットとは、互いに異なる直交周波数分割多重化（ＯＦＤＭ）シンボル上に存在する、請求項８に記載の方法。
【請求項１０】
前記利用可能な隣接した４個の副搬送波からなる第１のセットと前記利用可能な隣接した４個の副搬送波からなる第２のセットとは、周波数領域において連続しない、請求項８に記載の方法。
【請求項１１】
前記マルチアンテナを介して前記送信側から送信される第２の拡散ＡＣＫ／ＮＡＣＫ情報を利用可能な隣接した４個の副搬送波上で受信すること、を更に有し、
前記第１の拡散ＡＣＫ／ＮＡＣＫ情報は、前記利用可能な隣接した４個の副搬送波からなる第１のセットで前記表（１）に示す形式で受信され、
前記第２の拡散ＡＣＫ／ＮＡＣＫ情報は、前記利用可能な隣接した４個の副搬送波からなる第２のセットで前記表（２）に示す形式で受信され、
前記第１の拡散ＡＣＫ／ＮＡＣＫ情報と前記第２の拡散ＡＣＫ／ＮＡＣＫ情報とは、同じＡＣＫ／ＮＡＣＫ情報を有する、請求項８に記載の方法。
【請求項１２】
前記マルチアンテナを介して前記送信側から送信される第３の拡散ＡＣＫ／ＮＡＣＫ情報を利用可能な隣接した４個の副搬送波上で受信すること、を更に有し、
前記第３の拡散ＡＣＫ／ＮＡＣＫ情報は、利用可能な隣接した４個の副搬送波からなる第３のセットで次の表（３）に示す形式で受信され、
【表６】
2010531091.tif 000006
前記第１の拡散ＡＣＫ／ＮＡＣＫ情報と前記第３の拡散ＡＣＫ／ＮＡＣＫ情報とは、同じＡＣＫ／ＮＡＣＫ情報を有する、請求項１１に記載の方法。
【請求項１３】
前記アンテナＡおよびアンテナＢは、１番目の連続した番号が付けられた２個のアンテナであり、
前記アンテナＣおよびアンテナＤは、２番目の連続した番号が付けられた２個のアンテナである、請求項８に記載の方法。
【請求項１４】
前記アンテナＡおよびアンテナＢは、奇数の番号が付けられたアンテナであり、
前記アンテナＣおよびアンテナＤは、偶数の番号が付けられたアンテナである、請求項８に記載の方法。
【請求項１５】
移動通信システムにおいて肯定応答／否定応答（ＡＣＫ／ＮＡＣＫ）情報を送信するよう構成された装置であって、
無線周波数部と、
プロセッサと、を有し、
前記プロセッサは、
前記ＡＣＫ／ＮＡＣＫ情報を直交シーケンスを用いて拡散率４で拡散し、
第１の拡散ＡＣＫ／ＮＡＣＫ情報をマルチアンテナの利用可能な隣接した４個の副搬送波上で次の表（１）または表（２）に示す形式で符号化するよう、構成され、
【表７】
2010531091.tif 000007
【表８】
2010531091.tif 000008
アンテナＡおよびアンテナＢは、前記マルチアンテナのうちの２個のアンテナを表し、
アンテナＣおよびアンテナＤは、前記マルチアンテナのうちの２個のアンテナを表し、
ａ1〜ａ4は、前記拡散ＡＣＫ／ＮＡＣＫ情報のエレメントに関連し、
記号「*」は、共役演算子を表す、装置。
【請求項１６】
前記利用可能な隣接した４個の副搬送波からなる第１のセットと前記利用可能な隣接した４個の副搬送波からなる第２のセットとは、互いに異なる直交周波数分割多重化（ＯＦＤＭ）シンボル上に存在する、請求項１５に記載の装置。
【請求項１７】
前記利用可能な隣接した４個の副搬送波からなる第１のセットと前記利用可能な隣接した４個の副搬送波からなる第２のセットとは、周波数領域において連続しない、請求項１５に記載の装置。
【請求項１８】
前記プロセッサは、第２の拡散ＡＣＫ／ＮＡＣＫ情報を前記マルチアンテナの利用可能な隣接した４個の副搬送波上で符号化するよう、更に構成され、
前記第１の拡散ＡＣＫ／ＮＡＣＫ情報は、前記利用可能な隣接した４個の副搬送波からなる第１のセットで前記表（１）に示す形式で送信され、
前記第２の拡散ＡＣＫ／ＮＡＣＫ情報は、前記利用可能な隣接した４個の副搬送波からなる第２のセットで前記表（２）に示す形式で送信され、
前記第１の拡散ＡＣＫ／ＮＡＣＫ情報と前記第２の拡散ＡＣＫ／ＮＡＣＫ情報とは、同じＡＣＫ／ＮＡＣＫ情報を有する、請求項１５に記載の装置。
【請求項１９】
前記プロセッサは、第３の拡散ＡＣＫ／ＮＡＣＫ情報を前記マルチアンテナの利用可能な隣接した４個の副搬送波上で符号化するよう、更に構成され、
前記第３の拡散ＡＣＫ／ＮＡＣＫ情報は、利用可能な隣接した４個の副搬送波からなる第３のセットで次の表（３）に示す形式で送信され、
【表９】
2010531091.tif 000009
前記第１の拡散ＡＣＫ／ＮＡＣＫ情報と前記第３の拡散ＡＣＫ／ＮＡＣＫ情報とは、同じＡＣＫ／ＮＡＣＫ情報を有する、請求項１８に記載の装置。
【請求項２０】
前記アンテナＡおよびアンテナＢは、１番目の連続した番号が付けられた２個のアンテナであり、
前記アンテナＣおよびアンテナＤは、２番目の連続した番号が付けられた２個のアンテナである、請求項１５に記載の装置。
【請求項２１】
前記アンテナＡおよびアンテナＢは、奇数の番号が付けられたアンテナであり、
前記アンテナＣおよびアンテナＤは、偶数の番号が付けられたアンテナである、請求項１５に記載の装置。
【請求項２２】
移動通信システムにおいて肯定応答／否定応答（ＡＣＫ／ＮＡＣＫ）情報を受信するよう構成された装置であって、
無線周波数部と、
プロセッサと、を有し、
前記プロセッサは、マルチアンテナを介して送信側から送信される第１の拡散ＡＣＫ／ＮＡＣＫ情報を利用可能な隣接した４個の副搬送波上で受信するよう、構成され、
前記第１の拡散ＡＣＫ／ＮＡＣＫ情報は、前記ＡＣＫ／ＮＡＣＫ情報を直交シーケンスを用いて拡散率４で拡散したものであり、
前記第１の拡散ＡＣＫ／ＮＡＣＫ情報は、前記マルチアンテナの前記利用可能な隣接した４個の副搬送波上で次の表（１）または表（２）に示す形式で符号化された状態で前記送信側から送信され、
【表１０】
2010531091.tif 000010
【表１１】
2010531091.tif 000011
アンテナＡおよびアンテナＢは、前記マルチアンテナのうちの２個のアンテナを表し、
アンテナＣおよびアンテナＤは、前記マルチアンテナのうちの２個のアンテナを表し、
ａ1〜ａ4は、前記拡散ＡＣＫ／ＮＡＣＫ情報のエレメントに関連し、
記号「*」は、共役演算子を表す、装置。
【請求項２３】
前記利用可能な隣接した４個の副搬送波からなる第１のセットと前記利用可能な隣接した４個の副搬送波からなる第２のセットとは、互いに異なる直交周波数分割多重化（ＯＦＤＭ）シンボル上に存在する、請求項２２に記載の装置。
【請求項２４】
前記利用可能な隣接した４個の副搬送波からなる第１のセットと前記利用可能な隣接した４個の副搬送波からなる第２のセットとは、周波数領域において連続しない、請求項２２に記載の装置。
【請求項２５】
前記プロセッサは、前記マルチアンテナを介して前記送信側から送信される第２の拡散ＡＣＫ／ＮＡＣＫ情報を利用可能な隣接した４個の副搬送波上で受信するよう、更に構成され、
前記第１の拡散ＡＣＫ／ＮＡＣＫ情報は、前記利用可能な隣接した４個の副搬送波からなる第１のセットで前記表（１）に示す形式で受信され、
前記第２の拡散ＡＣＫ／ＮＡＣＫ情報は、前記利用可能な隣接した４個の副搬送波からなる第２のセットで前記表（２）に示す形式で受信され、
前記第１の拡散ＡＣＫ／ＮＡＣＫ情報と前記第２の拡散ＡＣＫ／ＮＡＣＫ情報とは、同じＡＣＫ／ＮＡＣＫ情報を有する、請求項２２に記載の装置。
【請求項２６】
前記プロセッサは、前記マルチアンテナを介して前記送信側から送信される第３の拡散ＡＣＫ／ＮＡＣＫ情報を利用可能な隣接した４個の副搬送波上で受信するよう、更に構成され、
前記第３の拡散ＡＣＫ／ＮＡＣＫ情報は、利用可能な隣接した４個の副搬送波からなる第３のセットで次の表（３）に示す形式で受信され、
【表１２】
2010531091.tif 000012
前記第１の拡散ＡＣＫ／ＮＡＣＫ情報と前記第３の拡散ＡＣＫ／ＮＡＣＫ情報とは、同じＡＣＫ／ＮＡＣＫ情報を有する、請求項２５に記載の装置。
【請求項２７】
前記アンテナＡおよびアンテナＢは、１番目の連続した番号が付けられた２個のアンテナであり、
前記アンテナＣおよびアンテナＤは、２番目の連続した番号が付けられた２個のアンテナである、請求項２２に記載の装置。
【請求項２８】
前記アンテナＡおよびアンテナＢは、奇数の番号が付けられたアンテナであり、
前記アンテナＣおよびアンテナＤは、偶数の番号が付けられたアンテナである、請求項２２に記載の装置。